(57)【要約】【課題】  道路側面の植木を、少ない労力と時間で行うことのできる剪定装置を提供する。【解決手段】  移動車２０の右側上方へ傾斜姿勢で突出させた外筒体２ａに、伸縮体２ｂを内蔵したブーム２と、外筒体２ａの先端部に回動自在に軸支され、左右方向に回動する腕片３と、伸縮体２ｂの先端部に軸支され、下端部が、腕片３の中間部分に軸支されたシャフト４と、下面が開放され、左右方向に回動して水平姿勢および垂直姿勢を形成するカバー体６の内部に、刃物８を複数取付けた剪定部５と、巻き上げられることによって剪定部５の一方側を吊上げて水平姿勢に保つと共に、緩められることによって剪定部５を垂直姿勢に保つ第一ワイヤー９と、剪定部５の上壁６ａからカバー体６の内部に連通し、カットされた枝葉Ｆを吸引する吸引ホース１０と、吸引された枝葉Ｆを収納する収納タンク１２と、で構成する。【選択図】      図２
2009118744.tif 000002
【特許請求の範囲】
【請求項１】
移動車に搭載され，道路側面の植木を剪定する装置であって、前記移動車の右側上方へ傾斜姿勢で突出させた外筒体に，伸縮体を伸縮自在に内蔵したブームと、上端部が，前記外筒体の先端部に回動自在に軸支され，左右方向に回動する腕片と、上端部が，前記伸縮体の先端部に軸支され，下端部が，前記腕片の中間部分に軸支されたシャフトと、上壁，前壁，後壁，左壁および右壁を有して下面が開放され，前記上壁の右壁側の端部が，前記腕片の下端部に軸支され，左右方向に回動して水平姿勢および垂直姿勢を形成するカバー体の内部に，左右方向に沿って回転軸を設け，該回転軸に，前記植木をカットする刃物を，複数取付けた剪定部と、前記カバー体上壁の左壁側の端部に連結され，前記移動車に設けたウインチまたは手作業で巻き上げられることによって前記剪定部の左壁側を吊上げて，該剪定部を水平姿勢に保つと共に，ワイヤーの取付位置を変えることによって前記剪定部を垂直姿勢に保つ第一ワイヤーと、先端部が，前記剪定部の上壁から前記カバー体の内部に連通し，カットされた枝葉を，エアーポンプの吸引力によって吸引する吸引ホースと、前記吸引ホースの基端部が連通し，前記吸引された枝葉を収納する収納タンクと、を備えてなることを特徴とする道路側面の剪定装置。
【請求項２】
剪定部の垂直姿勢を安定させるべく，第一ワイヤーを，カバー体右壁の下端部に連結すると共に，前記カバー体上壁の左壁側の端部に，移動車に設けたウインチまたは手作業によって巻き上げられるようにした固定のための第二ワイヤーを連結してなることを特徴とする請求項１に記載の道路側面の剪定装置。
【請求項３】
カバー体に，刃物を取付けた回転軸を回転させるモーターを取付け、移動車に，前記モーターおよびエアーポンプを稼動する発電機を搭載してなることを特徴とする請求項１または２に記載の道路側面の剪定装置。
【請求項４】
移動車に搭載され，道路側面の植木を剪定する装置であって、前記移動車の右側上方へ傾斜姿勢で突出させた外筒体に，伸縮体を伸縮自在に内蔵したブームと、上端部が，前記外筒体の先端部に回動自在に軸支され，左右方向に回動する腕片と、上端部が，前記伸縮体の先端部に軸支され，下端部が，前記腕片の中間部分に軸支されたシャフトと、上壁，前壁，後壁，左壁および右壁を有して下面が開放され，前記上壁の右壁側の端部が，前記腕片の下端部に軸支され，左右方向に回動して水平姿勢および垂直姿勢を形成するカバー体の内部に，左右方向に沿って回転軸を設け，該回転軸に，前記植木をカットする刃物を，複数取付けた剪定部と、前記カバー体上壁の左壁側の端部に連結され，前記移動車に設けたウインチまたは手作業で巻き上げられることによって前記剪定部の左壁側を吊上げて，該剪定部を水平姿勢に保つと共に，取付位置を変えることによって前記剪定部を垂直姿勢に保つ第一ワイヤーと、先端部が，前記剪定部の上壁から前記カバー体の内部に連通し，カットされた枝葉を，エアーポンプの吸引力によって吸引する吸引ホースと、前記吸引ホースの基端部が連通し，前記吸引された枝葉を収納する収納タンクと、を備え、前記剪定部の垂直姿勢を安定させるべく，前記第一ワイヤーを，前記カバー体右壁の下端部に連結すると共に，前記カバー体上壁の左壁側の端部に，移動車に設けたウインチまたは手作業によって巻き上げられるようにした固定のための第二ワイヤーを連結し、前記カバー体に，前記刃物を取付けた回転軸を回転させるモーターを取付け、前記移動車に，前記モーターおよびエアーポンプを稼動する発電機を搭載し、前記前壁を，暖簾状の軟質材で形成し、前記外筒体の前記剪定部より高い位置に，前記第一ワイヤーを支持する滑車を設けてなることを特徴とする道路側面の剪定装置。
【発明の詳細な説明】
【技術分野】
【０００１】
本発明は、高速道路の分離帯に植えられた植木を剪定する装置に関するものである。
【背景技術】
【０００２】
高速道路等の中央分離帯等には、通常、植木が壁を形成するように連続的に植えられている。この植木は日々生長するため、定期的に剪定する必要がある。従来、こうした植木の剪定は、移動車に取付けた剪定機で植木の上面や側面をカットしながら、移動車に乗車した作業者が、カットされた枝葉を道具を使って手作業で路面に落下させ、さらに落下した枝葉を他の作業者が収集していた。
【０００３】
なお、移動車を利用しない形態の道路側面の植木を剪定する装置は、例えば、特許文献１に記載されている。
【特許文献１】特開平５−１９２０３７号公報
【発明の開示】
【発明が解決しようとする課題】
【０００４】
すなわち、従来の剪定作業は、カット、落下および収集といった三つの工程を、それぞれ別個に行っていた。従って、剪定作業に、多大な労力と時間を要していた。
【０００５】
本発明はこうした問題に鑑み創案されたもので、道路側面の植木を、少ない労力と時間で行うことのできる剪定装置を提供することを課題とする。
【課題を解決するための手段】
【０００６】
図１乃至図４を参照して説明する。請求項１に記載の道路側面の剪定装置１は、移動車２０に搭載され、道路側面の植木Ｐを剪定する装置であって、前記移動車２０の右側上方へ傾斜姿勢で突出させた外筒体２ａに、伸縮体２ｂを伸縮自在に内蔵したブーム２と、上端部が、前記外筒体２ａの先端部に回動自在に軸支され、左右方向に回動する腕片３と、上端部が、前記伸縮体２ｂの先端部に軸支され、下端部が、前記腕片３の中間部分に軸支されたシャフト４と、上壁６ａ、前壁６ｂ、後壁６ｃ、左壁６ｄおよび右壁６ｅを有して下面が開放され、前記上壁６ａの右壁側の端部が、前記腕片３の下端部に軸支され、左右方向に回動して水平姿勢および垂直姿勢を形成するカバー体６の内部に、左右方向に沿って回転軸７を設け、当該回転軸７に、前記植木Ｐをカットする刃物８を、複数取付けた剪定部５と、前記カバー体上壁６ａの左壁側の端部に連結され、前記移動車２０に設けたウインチまたは手作業で巻き上げられることによって前記剪定部５の左壁側を吊上げて、前記剪定部５を水平姿勢に保つと共に、ワイヤーの取付位置を変えることによって前記剪定部５を垂直姿勢に保つ第一ワイヤー９と、先端部が、前記剪定部５の上壁６ａから前記カバー体６の内部に連通し、カットされた枝葉Ｆを、エアーポンプ１１の吸引力によって吸引する吸引ホース１０と、前記移動車２０に設けられ、前記吸引ホースの基端部が連通し、前記吸引された枝葉Ｆを収納する収納タンク１２と、を備えてなるものである。
【０００７】
請求項２に記載の道路側面の剪定装置１は、請求項１に記載の発明において、剪定部５の垂直姿勢を安定させるために、第一ワイヤー９を、カバー体右壁６ｅの下端部に連結すると共に、前記カバー体上壁６ａの左壁側の端部に、移動車２０に設けたウインチまたは手作業によって巻き上げられるようにした固定のための第二ワイヤー１３を連結してなるものである。
【０００８】
請求項３に記載の道路側面の剪定装置１は、請求項１または２に記載の発明において、カバー体６に、刃物８を取付けた回転軸７を回転させるモーター１４を取付け、移動車２０に、前記モーター１４およびエアーポンプ１１を稼動する発電機１５を搭載してなるものである。
【０００９】
請求項４に記載の道路側面の剪定装置１は、移動車２０に搭載され、道路側面の植木Ｐを剪定する装置であって、前記移動車２０の右側上方へ傾斜姿勢で突出させた外筒体２ａに、伸縮体２ｂを伸縮自在に内蔵したブーム２と、上端部が、前記外筒体２ａの先端部に回動自在に軸支され、左右方向に回動する腕片３と、上端部が、前記伸縮体２ｂの先端部に軸支され、下端部が、前記腕片３の中間部分に軸支されたシャフト４と、上壁６ａ、前壁６ｂ、後壁６ｃ、左壁６ｄおよび右壁６ｅを有して下面が開放され、前記上壁６ａの右壁側の端部が、前記腕片３の下端部に軸支され、左右方向に回動して水平姿勢および垂直姿勢を形成するカバー体６の内部に、左右方向に沿って回転軸７を設け、当該回転軸７に、前記植木Ｐをカットする刃物８を、複数取付けた剪定部５と、前記カバー体上壁６ａの左壁側の端部に連結され、前記移動車２０に設けたウインチまたは手作業で巻き上げられることによって前記剪定部５の左壁側を吊上げて、前記剪定部５を水平姿勢に保つと共に、緩められることによって前記剪定部５を垂直姿勢に保つ第一ワイヤー９と、先端部が、前記剪定部５の上壁６ａから前記カバー体６の内部に連通し、カットされた枝葉Ｆを、エアーポンプ１１の吸引力によって吸引する吸引ホース１０と、前記移動車２０に設けられ、前記吸引ホース１０の基端部が連通し、前記吸引された枝葉Ｆを収納する収納タンク１２と、を備えるものである。
【００１０】
そして、前記剪定部５の垂直姿勢を安定させるために、前記第一ワイヤー９を、前記カバー体右壁６ｅの下端部に連結すると共に、前記カバー体上壁６ａの左壁側の端部に、移動車２０に設けたウインチまたは手作業によって巻き上げられるようにした固定のための第二ワイヤー１３を連結する。
【００１１】
また、前記カバー体６に、前記刃物８を取付けた回転軸７を回転させるモーター１４を取付け、前記移動車２０に、前記モーター１４およびエアーポンプ１１を稼動する発電機１５を搭載する。また、前記前壁６ｂを、暖簾状の軟質材で形成する。さらに、前記外筒体２ａの前記剪定部５より高い位置に、前記第一ワイヤー９を支持する滑車１６を設ける。
【発明の効果】
【００１２】
請求項１に記載の道路側面の剪定装置１は、上記構成のブーム２、腕片３、シャフト４、剪定部５、第一ワイヤー９、吸引ホース１０、および収納タンク１２を備えるので、分離帯の植木Ｐを少ない労力および時間で、容易に剪定することができる。
【００１３】
すなわち、例えば、植木Ｐの上面の剪定作業を行う場合は、剪定部５を水平姿勢に維持した状態で移動車２０を前進させ、剪定部５の回転軸７を回転させることによって刃物８を回転させて植木Ｐの上面をカットする。
【００１４】
この際、エアーポンプ１１を稼動させておき、カットされた枝葉Ｆを吸引ホース１０によって吸引し、そのまま収納タンク１２に送って収集する。従って、従来技術のように、カットした枝葉Ｆを路面に落下させる作業と、落下した枝葉Ｆを収集する作業を必要としない。これにより、従来技術と比較して、きわめて少ない労力と時間で、植木Ｐの剪定作業を行うことができる。
【００１５】
なお、剪定部５の水平姿勢は、図２に示すように、ブーム２の伸縮体２ｂを伸長することによって、腕片３をその上端部を支点として右方向に回動させて剪定部５を右方向に移動させる。これと共に、第一ワイヤー９を巻き上げて、剪定部５の左側部分を上昇させる。これによって、剪定部５は水平姿勢を形成する。
【００１６】
請求項２に記載の道路側面の剪定装置１は、請求項１に記載の発明と同様の効果を発揮する。また、第一ワイヤー９と第二ワイヤー１３によって、剪定部５の垂直姿勢を安定させるので、植木Ｐの側面も、上面と同様に、少ない労力と時間で容易に剪定することができる。
【００１７】
なお、剪定部５の垂直姿勢は、図３に示すように、第一ワイヤー９を緩めると共に、ブーム２の伸縮体２ｂを収縮させることによって形成することができる。なお、第一ワイヤー９を一旦取り外した後、カバー体右壁６ｅの下端部に連結することによって、剪定部５の下端部分が左方向に傾動するのを防止する。さらに、第二ワイヤー１３を、カバー体上壁６ａの左壁側の端部に連結することによって、剪定部５の下端部分が右方向に傾動するのを防止する。これによって、剪定部５の垂直姿勢を安定させることができる。
【００１８】
請求項３に記載の道路側面の剪定装置１は、請求項１および２に記載の発明と同様の効果を発揮する。また、カバー体６に、刃物８を取付けた回転軸７を回転させるモーター１４を取付け、移動車２０に、モーター１４およびエアーポンプ１１を稼動する発電機１５を搭載しているので、この移動車２０に設けた機構のみによって植木Ｐの剪定作業を行うことができる。従って、例えば、移動車２０に追従して、発電機１５を搭載した作業車を走行させるといった面倒がない。
【００１９】
請求項４に記載の道路側面の剪定装置１は、請求項１乃至３に記載の発明と同様の効果を発揮する。また、前壁６ｂを、暖簾状の軟質材で形成しているので、植木Ｐがカバー体６内に進入する際に、前壁６ｂで植木Ｐを押さえ付けることがない。従って、植木Ｐを原形のままカバー体６内に進入させて、所定箇所で正確にカットすることができる。
【００２０】
さらに、外筒体２ａの剪定部５より高い位置に、第一ワイヤー９を支持する滑車１６を設けているので、剪定部５の下端部を充分な高さまで吊上げて、当該剪定部５を確実かつ円滑に水平姿勢にすることができる。
【発明を実施するための最良の形態】
【００２１】
本発明に係る道路側面の剪定装置１の実施形態を、図１乃至図４に示す。この装置１は、移動車２０に搭載され、前進移動しながら例えば高速道路の中央分離帯に植えられた植木Ｐを剪定するもので、ブーム２、腕片３、シャフト４、剪定部５、第一ワイヤー９、吸引ホース１０および収納タンク１２を備える。図１および図４の白抜き矢印は、進行方向を示す。
【００２２】
ブーム２は、移動車（トラック）２０の運転席２０ａと、前端部に安全柵２０ｃを有する荷台２０ｂとの間に搭載され、移動車２０の右側斜め上方に向かう傾斜姿勢で突出させた外筒体２ａに、伸縮体２ｂを伸縮自在に内蔵して構成している。
【００２３】
腕片３は、上端部が、外筒体２ａの先端部に回動自在に軸支され、左右方向に回動する。シャフト４は、上端部が、伸縮体２ｂの先端部に軸支され、下端部が、腕片３の中間部分に軸支される。
【００２４】
剪定部５は、上壁６ａ、前壁６ｂ、後壁６ｃ、左壁６ｄおよび右壁６ｅを有して下面が開放された形状である。前壁６ｂは、ゴムや樹脂などの軟質材で構成され、縦方向に複数のスリットを形成して、暖簾状としている。また、上壁６ａの右壁側の端部が、腕片３の下端部に軸支され、左右方向に回動して水平姿勢および垂直姿勢を形成するカバー体６を有する。このカバー体６の内部には、左右方向に沿って回転軸７を設け、この回転軸７に、植木Ｐをカットするための刃物８を、複数取付けている。
【００２５】
第一ワイヤー９は、一端が、カバー体上壁６ａの左壁側の端部に連結され、移動車２０に設けたウインチによって巻き上げられるもので、この巻き上げによって、剪定部５の左壁側を吊上げて水平姿勢を形成する。また、第一ワイヤー９を緩めると、剪定部５は自重で回動し、垂直姿勢を形成する。ウインチは手動式あるいは電動式とすることができる。また、ウインチに代えて、手作業で引き上げるようにすることも可能である。
【００２６】
なお、本実施形態では、第一ワイヤー９を、ブーム２の外筒体２ａに取付けた滑車１６を介してカバー体６に連結しており、これによって、剪定部５を上方に吊上げて水平姿勢に保つようにしている。この滑車１６は、剪定部５より高い位置に取付けており、これによって、剪定部５の吊上げ作業を確実かつ容易に行えるようにしている。
【００２７】
吸引ホース１０は、ゴムや樹脂などの軟質材で形成した蛇腹状で、その先端開口部が、剪定部５の上壁６ａを通ってカバー体６の内部に連通し、カットされた枝葉Ｆを、エアーポンプ１１の吸引力によって吸引するものである。また、収納タンク１２は、移動車２０の荷台２０ｂに設けられ、吸引ホース１０の基端部が連通し、吸引された枝葉Ｆを収納するものである。
【００２８】
なお、本実施形態では、剪定部５の垂直姿勢を安定させるために、第一ワイヤー９を、カバー体右壁６ｅの下端部（図３では、右壁６ｅの右側端部）に連結している。また、カバー体上壁６ａの左壁側の端部に、移動車２０に設けたウインチによって巻き上げられるようにした固定のための第二ワイヤー１３を連結している。なお、ウインチは手動式または電動式とすることができる。また、ウインチを使用する代わりに、手作業で引き上げる構成とすることもできる。
【００２９】
また、本実施形態では、カバー体６に、刃物８を取付けた回転軸７を回転させるモーター１４を取付けている。さらに、移動車２０の荷台２０ｂに、モーター１４およびエアーポンプ１１を稼動する発電機１５を搭載している。
【００３０】
なお、刃物８は、支持部材８ａの先端部に締結部材（ボルトやナット）Ｂで着脱自在に取付けており、また、その支持部材８ａの基端部を、回転軸７から突設した取付部７ａに、同じく締結部材Ｂによって着脱自在および前後方向に回動自在に取付けている。この刃物８は、支持部材８ａを前後に回動させることによって、回転軸７に対する取付け角度を自在に調節することができる。
【００３１】
本実施形態に係る道路側面の剪定装置１は、次のように作動する。まず、植木Ｐの上面を剪定する場合は、ブーム２の伸縮体２ｂを伸長させて、シャフト４および腕片３を介して剪定部５を右方向に移動させる（図２参照）。これと共に、第一ワイヤー９を巻き上げて剪定部５の左側部分を上昇させる。これによって、剪定部５は水平姿勢（略水平姿勢を含む）を形成する。
【００３２】
次に、剪定部５を植木Ｐの直上に位置させた状態で、移動車２０を植木Ｐに沿って前進させると共に、モーター１４を駆動して回転軸７を回転させ、これによって刃物８を回転させる。この回転する刃物８によって植木Ｐの上面をカットする。この際、同時に、エアーポンプ１１を稼動させておく。
【００３３】
カットされた植木Ｐの枝葉Ｆは、カバー体６（上壁６ａ、前壁６ｂ、後壁６ｃ、左壁６ｄ、右壁６ｅ）によって囲まれているので周囲に飛散せず、よって、その全てが吸引ホース１０に吸い込まれ、そのまま収納タンク１２に送られて収集される。
【００３４】
なお、前壁６ｂは、軟質材で暖簾状に形成しているので、植木Ｐが当たった際に容易に揺れるようにして曲がる。従って、植木Ｐは、その原形姿勢を保ったままカバー体６の内部に進入することができ、所定箇所が刃物８で正確にカットされる。
【００３５】
また、植木Ｐの側面を剪定する場合は、第一ワイヤー９を緩めると共に、ブーム２の伸縮体２ｂを伸長する（図３参照）。これによって、剪定部５は移動車２０に近づいた状態で、その自重によって垂直姿勢を形成する。なお、この垂直姿勢のままでは、その下端部分が左右方向に傾動し易いので、第一ワイヤー９を一旦外した後、カバー体右壁６ｅの下端部に連結する。この第一ワイヤー９は、ブーム２の外筒体２ａに、剪定部５より高い位置で取付けた滑車１６を介してカバー体６に連結している。また、第二ワイヤー１３を、カバー体上壁６ａの左壁側の端部に連結する。
【００３６】
第一ワイヤー９を上記のように連結することで、剪定部５が植木Ｐの側面に当たった際に受ける反力によって、その下側部分が左方向へ傾動するのを防止することができる。また、第二ワイヤー１３によって、剪定部５の下側部分が右方向へ傾動するのを防止することができる。この第一ワイヤー９および第二ワイヤー１３を設けることによって、剪定部５の左右方向の傾動を防止し、垂直姿勢を安定させることができる。
【００３７】
本実施形態に係る道路側面の剪定装置１は、上記した構成としているので、移動車２０を植木Ｐに沿って前進させるのみで、植木Ｐの剪定作業を行うことができる。これにより、枝葉Ｆを路面に落下させる作業と、路面に落下した枝葉Ｆを収集する作業を省くことができる。従って、きわめて少ない労力と時間で、容易に剪定作業を行うことができる。
【００３８】
なお、この道路側面の剪定装置１は、カバー体６に、刃物８を取付けた回転軸７を回転させるモーター１４を取付け、移動車２０に、モーター１４およびエアーポンプ１１を稼動する発電機１５を設けているので、この移動車２０に設けた機構のみによって植木Ｐの剪定作業を行うことができる。従って、例えば、移動車２０に追従して、発電機１５を搭載した作業車を走行させる必要がなく、剪定作業を、より少ない労力と時間で行うことができる。
【産業上の利用可能性】
【００３９】
本発明に係る剪定装置は、道路側面の植木のみならず、通常の道路や公園などの植木も剪定することができる。
【図面の簡単な説明】
【００４０】
【図１】本発明の実施形態に係る道路側面の剪定装置を示す平面図である。
【図２】図１に示す剪定装置の右背面図である（剪定部が水平姿勢にある状態を示す）。
【図３】図１に示す剪定装置の右背面図である（剪定部が垂直姿勢にある状態を示す）。
【図４】図１のＡ−Ａ線断面拡大図である。
【符号の説明】
【００４１】
１          道路側面の剪定装置
２          ブーム
２ａ        外筒体
２ｂ        伸縮体
３          腕片
４          シャフト
５          剪定部
６          カバー体
６ａ        上壁
６ｂ        前壁
６ｃ        後壁
６ｄ        左壁
６ｅ        右壁
７          回転軸
７ａ        取付部
８          刃物
８ａ        支持部材
９          第一ワイヤー
１０        吸引ホース
１１        エアーポンプ
１２        収納タンク
１３        第二ワイヤー
１４        モーター
１５        発電機
１６        滑車
２０        移動車
２０ａ      運転席
２０ｂ      荷台
２０ｃ      安全柵
Ｂ          締結部材
Ｆ          枝葉
Ｐ          植木
【図１】
2009118744.tif 000003
【図２】
2009118744.tif 000004
【図３】
2009118744.tif 000005
【図４】
2009118744.tif 000006